(57)【要約】　　　（修正有）【課題】第１の記録媒体及び第２の記録媒体に記録されたデータを交互に再生する再生装置及び方法。【解決手段】第１の記録媒体２Ａから再生した再生データを蓄積する第１の記憶手段３９のデータ蓄積量が所定値に達するまで記録媒体から再生データを読み出し、第１の記憶手段３９のデータ蓄積量が所定値に達したら再生データの読み出しを停止するように再生手段４，６，３３を制御し、記録媒体を交換し，第２の記録媒体２Ｂから再生した再生データを蓄積する第２の記憶手段３６に記憶するように制御する。【選択図】図１４
2004134055.tif 000002
【特許請求の範囲】
【請求項１】
　第１の記録媒体及び第２の記録媒体に記録されたデータを交互に再生する再生装置において、
　上記第１の記録媒体又は上記第２の記録媒体に対して再生手段を相対的に移動可能な記録媒体交換手段と、
　上記第１の記録媒体から上記再生手段によつて再生された再生データを蓄積する第１の記憶手段と、
　上記第２の記録媒体から上記再生手段によつて再生された再生データを蓄積する第２の記憶手段と、
　データ入力手段と、
　上記第１の記録媒体から上記再生手段によつて再生された再生データを第１の転送速度で第１の記憶手段に書き込み、上記第１の転送速度より遅い第２の転送速度で上記第１の記憶手段に記憶されたデータを読み出し制御する第１のメモリ制御手段と、
　上記第１の記憶手段のデータ蓄積量が所定値に達した後、上記第１の記録媒体から上記第２の記録媒体に移行するよう上記記録媒体交換手段を駆動制御し、上記第２の記録媒体から上記データ入力手段からのデータに応じた情報を読み出し、上記第２の記憶手段に上記第２の記録媒体から読み出した情報を記憶するように制御する制御手段と
　を具えることを特徴とする再生装置。
【請求項２】
　上記第１の記録媒体にはオーデイオデータが記録され、上記第２の記録媒体には地図情報が記録される
　ことを特徴とする請求項１に記載の再生装置。
【請求項３】
　上記第１及び第２の記録媒体はデイスク状記録媒体からなる
　ことを特徴とする請求項２に記載の再生装置。
【請求項４】
　上記データ入力手段は、位置情報検知手段と当該検知した位置情報を入力する 
ことを特徴とする請求項１に記載の再生装置。
【請求項５】
　上記記録媒体交換手段は、上記第１の記録媒体が載置されている第１の再生位置と上記第２の記録媒体が載置されている第２の再生位置との間で、上記再生手段を移動させる
　ことを特徴とする請求項１に記載の再生装置。
【請求項６】
　上記記録媒体交換手段は、再生位置に対して上記第１の記録媒体と上記第２の記録媒体とを選択的に載置するようにした
　ことを特徴とする請求項１に記載の再生装置。
【請求項７】
　上記第１の記憶手段の蓄積量と比較される所定値は、上記再生手段が移動する時間と再生起動に要する時間とを加算した時間より少なくとも大なる
　ことを特徴とする請求項５に記載の再生装置。
【請求項８】
　上記第１の記憶手段の蓄積量と比較される所定値は、上記第１又は第２の記録媒体の交換に要する時間と再生起動に要する時間とを加算した時間より少なくとも大なる
　ことを特徴とする請求項６に記載の再生装置。
【請求項９】
　上記再生手段は光学ピツクアツプからなる
　ことを特徴とする請求項３に記載の再生装置。
【請求項１０】
　第１の記録媒体と第２の記録媒体とを交互に再生する再生方法において、
　再生手段によつて上記第１の記録媒体からデータを再生するステツプと、
　上記再生したデータを第１の記憶手段に記憶するステツプと、
　上記第１の記憶手段から蓄積されたデータを読み出すステツプと、
　上記第１の記憶手段のデータ蓄積量と所定値とを比較するステツプと、
　上記第１の記憶手段のデータ蓄積量が所定値より大なる場合は、上記第１の記録媒体からデータ読み出しを中止すると共に、上記第２の記録媒体に記録媒体を交換するステツプと、
　外部データ入力手段に入力されたデータに基づいて、上記再生手段によつて上記第２の記録媒体を再生するステツプと、
　上記第２の記録媒体から再生されたデータを、上記第２の記憶手段に記憶するステツプと、
　上記第２の記憶手段から蓄積されたデータを読み出すステツプと、
　上記第２の記録媒体から上記第１の記録媒体に記録媒体を交換するステツプと 
を具えることを特徴とする再生方法。
【請求項１１】
　上記第１の記憶手段と上記第２の記憶手段を共通化した
　ことを特徴とする請求項１０に記載の再生方法。
【請求項１２】
　上記第１及び第２の記録媒体はデイスク状記録媒体である
　ことを特徴とする請求項１０に記載の再生方法。
【請求項１３】
　上記再生手段は光学ピツクアツプからなる
　ことを特徴とする請求項１０に記載の再生方法。
【請求項１４】
　上記外部データ入力手段から入力されるデータは、位置情報である
　ことを特徴とする請求項１０に記載の再生方法。
【請求項１５】
　上記第１の記録媒体にはオーデイオデータが記録され、上記第２の記録媒体には地図情報が記録される
　ことを特徴とする請求項１０に記載の再生方法。
【請求項１６】
　上記第１の記録媒体と上記第２の記録媒体とを交互に再生する際、上記再生手段を上記第１の記録媒体と上記第２の記録媒体との間を移動させる
　ことを特徴とする請求項１０に記載の再生方法。
【請求項１７】
　上記第１の記録媒体と上記第２の記録媒体とを交互に再生する際、上記再生手段に対して、上記第１の記録媒体と上記第２の記録媒体とを選択的に交換する
　ことを特徴とする請求項１０に記載の再生方法。
【請求項１８】
　上記第１の記憶手段に蓄積されたデータ蓄積量と比較される所定値は、上記第１又は第２の記録媒体を選択的に交換するのに要する時間と再生起動に要する時間とを加算した時間に相当する量より少なくとも大きい
　ことを特徴とする請求項１０に記載の再生方法。
【請求項１９】
　上記第１の記憶手段に蓄積されたデータ蓄積量と比較される所定値は、上記第１の記録媒体と上記第２の記録媒体間を上記再生手段が移動する時間と再生起動に要する時間とを加算した時間に相当する量より少なくとも大きい
　ことを特徴とする請求項１０に記載の再生方法。
【発明の詳細な説明】
【技術分野】
【０００１】
　本発明は再生装置及び方法に関し、例えば熱磁気記録の手法を適用して所望のデータをデイスク状記録媒体から再生し得るようになされた光デイスク装置に適用し得る。
【背景技術】
【０００２】
　従来、熱磁気記録の手法を適用して所望のデータを記録再生し得るようになされた光デイスク装置において、大容量のメモリを介して再生したオーデイオデータを出力することにより、データの不連続を有効に回避し得るようになされたものがある（米国特許第5,214,631 号（1993年５月25日))。この種の光デイスク装置は、所定のブロツク単位であるセクタ単位でオーデイオデータを記録し、再生時このセクタ単位でオーデイオデータを再生する。
【０００３】
　このオーデイオデータの再生の際、光デイスク装置はオーデイオデータを正しく再生し得たか否か判断しながら、順次再生したオーデイオデータをメモリに蓄積する。もし、正しく再生し得なかつたオーデイオデータについては、セクタ単位で再度再生しなおしメモリに再書き込みをする。例えば振動等の外乱により再生中にトラツクジヤンプが発生し、オーデイオデータを正しく再生し得なかつた場合、光デイスク装置は、再度トラツクジヤンプの発生した箇所に光学ピツクアツプを移動する。そして再度再生しなおし、再び読み込みしたオーデイオデータをメモリに格納する。光デイスク装置は、振動等によりトラツクジヤンプした場合でも、正しくオーデイオデータを再生できるようになされている。
【０００４】
　さらに光デイスク装置は、再生時メモリから出力するオーデイオデータのデータ転送速度に比して、このメモリに格納するオーデイオデータの転送速度が速くなるように全体の動作を制御する。これにより常に一定量のデータがメモリに蓄積されるように制御することで音切れを防止する。このように光デイスク装置は、振動等によりトラツクジヤンプした場合でも、光学ピツクアツプがトラツクジヤンプを発生したアドレスに戻るまでの時間、メモリに予め蓄えてあるデータを読み出し、これによりデータの不連続を有効に回避して連続するオーデイオ信号を再生し得るようになされている。
【０００５】
　一方光デイスク装置は、記録時同様にこのメモリを用いてオーデイオデータをセクタ単位で処理すると共に、メモリに入出力するオーデイオデータの転送速度が所定の転送速度になるように全体の動作を制御する。このように光デイスク装置は、記録時トラツクジヤンプ等の障害が発生した場合、再書き込み処理を実行して、光デイスクに記録するオーデイオデータについても、データの不連続が生じることを有効に回避している。
【発明の開示】
【発明が解決しようとする課題】
【０００６】
　ところで、光ディスク装置として、例えば、通常はオーディオ情報を聴く第１の目的に使いながら、必要に応じて車の進路に関するナビゲーション情報を見る第２の目的にも使うことができれば、オーディオシステムとナビゲーションシステムの２つの目的のシステムを別個に用意する必要がなくなるので、光ディスク装置を有効に利用できると考えられる。
【０００７】
　本発明は以上の点を考慮してなされたもので、２つの記録媒体を交互に再生し得る再生装置及び方法を提案しようとするものである。
【課題を解決するための手段】
【０００８】
　かかる課題を解決するため本発明においては、第１の記録媒体（２Ａ）及び第２の記録媒体（２Ｂ）に記録されたデータを交互に再生する再生装置（５０）において、第１の記録媒体（２Ａ）又は第２の記録媒体（２Ｂ）に対して再生手段（４）を相対的に移動可能な記録媒体交換手段と、第１の記録媒体（２Ａ）から再生手段（４）によつて再生された再生データを蓄積する第１の記憶手段（３９）と、第２の記録媒体（２Ｂ）から再生手段（４）によつて再生された再生データを蓄積する第２の記憶手段（３６）と、データ入力手段（４２、４３）と、第１の記録媒体（２Ａ）から再生手段（４）によつて再生された再生データを第１の転送速度で第１の記憶手段（３９）に書き込み、第１の転送速度より遅い第２の転送速度で第１の記憶手段（３９）に記憶されたデータを読み出し制御する第１のメモリ制御手段（３８）と、第１の記憶手段（３９）のデータ蓄積量が所定値に達した後、第１の記録媒体（２Ａ）から第２の記録媒体（２Ｂ）に移行するよう記録媒体交換手段（７、８）を駆動制御し、第２の記録媒体（２Ｂ）からデータ入力手段（４２、４３）からのデータに応じた情報を読み出し、第２の記憶手段（３６）に第２の記録媒体（２Ｂ）から読出した情報を記憶するように制御する制御手段（３０）とを設けるようにした。
【０００９】
　また本発明においては、第１の記録媒体（２Ａ）と第２の記録媒体（２Ｂ）とを交互に再生する再生方法において、再生手段（４）によつて第１の記録媒体（２Ａ）からデータを再生するステツプと、再生したデータを第１の記憶手段（３９）に記憶するステツプと、第１の記憶手段（３９）から蓄積されたデータを読み出すステツプと、第１の記憶手段（３９）のデータ蓄積量と所定値とを比較するステツプと、第１の記憶手段（３９）のデータ蓄積量が所定値より大なる場合は、第１の記録媒体（２Ａ）からデータ読み出しを中止すると共に、第２の記録媒体（２Ｂ）に記録媒体を交換するステツプと、外部データ入力手段（４２、４３）に入力されたデータに基づいて、再生手段（４）によつて第２の記録媒体（２Ｂ）を再生するステツプと、第２の記録媒体（２Ｂ）から再生されたデータを第２の記憶手段（３６）に記憶するステツプと、第２の記憶手段（３６）から蓄積されたデータを読み出すステツプと、第２の記録媒体（２Ｂ）から第１の記録媒体（２Ａ）に記録媒体を交換するステツプとを設けるようにした。
【００１０】
　記録媒体交換手段（７、８）の制御によつて、第１又は第２の記録媒体（２Ａ又は２Ｂ）に対して再生手段（４）を相対的に移動させ、第１の記録媒体（２Ａ）から再生手段（４）によつて再生された再生データを蓄積する第１の記憶手段（３９）のデータ蓄積量が所定値に達した後、第１の記録媒体（２Ａ）から第２の記録媒体（２Ｂ）に移行し、第２の記録媒体（２Ｂ）からデータ入力手段（４２、４３）からのデータに応じた情報を読み出し、第２の記憶手段（３６）に第２の記録媒体（２Ｂ）から読出した情報を記憶するようにしたことにより、第１及び第２の記録媒体（２Ａ及び２Ｂ）に記録された情報を交互に再生し得る。
【発明の効果】
【００１１】
　上述のように本発明によれば、記録媒体交換手段の制御によつて第１又は第２の記録媒体に対して再生手段を相対的に移動させ、第１の記録媒体から再生手段によつて再生された再生データを蓄積する第１の記憶手段のデータ蓄積量が所定値に達した後、第１の記録媒体から第２の記録媒体に移行し、第２の記録媒体からデータ入力手段からのデータに応じた情報を読み出し、第２の記憶手段に第２の記録媒体から読出した情報を記憶するようにしたことにより、第１及び第２の記録媒体に記録された情報を交互に再生し得る再生装置及び方法を実現できる。
【発明を実施するための最良の形態】
【００１２】
　以下図面について、本発明の一実施例を詳述する。
【００１３】
（１）記録再生装置の一例
　図１において、１は全体として光デイスク装置を示し、３種類の光デイスクを再生し得るようになされている。すなわちこの光デイスク装置１に適用する光デイスクは、再生専用の光デイスク、記録再生可能な光デイスク、さらにはデータ記録領域の一部領域についてのみ記録再生可能なハイブリツドの光デイスクとがある。
【００１４】
　このうち再生専用の光デイスクは、コンパクトデイスクと同様の手法を適用して形成され、図２に示すように、インフオメーシヨンエリアがリードインエリア、プログラムエリア及びリードアウトエリアに分割されている。そしてこの光デイスクは、プログラムエリアにオーデイオデータが記録され、リードインエリアにオーデイオデータの管理データや光デイスク自体の管理データが記録されている。従つてこの光デイスクを再生する場合、光デイスク装置１はリードインエリアの管理データを再生して曲目、記録位置等を確認した後、管理データに基づいて所望の演奏を再生し得るようになされている。
【００１５】
　また記録再生可能な光デイスクは、図３に示すように、インフオメーシヨンエリアがリードインエリア、レコーダブルエリア及びリードアウトエリアに分割され、プリフオーマツトによつてピツトが形成されることによりリードインエリア及びリードアウトエリアが形成され、さらに熱磁気記録の領域が形成されてレコーダブルエリアに割り当てられている。そしてこの光デイスクは、レコーダブルエリアがＵＴＯＣエリア及びプログラムエリアに分割され、プログラムエリアに所望のデータを熱磁気記録し得るようになされ、さらにプログラムエリアに記録したデータの管理データ（すなわちオーデイオデータの場合、記録開始位置等のデータでなる）をＵＴＯＣエリアに記録し得るようになされている。
【００１６】
　この光デイスクは、リードインエリアに光デイスク自体の管理データ（例えば光デイスクの種類を表すデータ、ＵＴＯＣエリアの位置データ等）が記録される。従つて光デイスク装置１は、この光デイスクを記録再生する場合、リードインエリアをアクセスして管理データを再生した後、この管理データに基づいて光ビームの光量等を設定し、続いてＵＴＯＣエリアを再生して管理データを再生する。続いて光デイスク装置１は、ユーザの選択操作に応動してプログラムエリアを再生し、さらにプログラムエリアの空きエリアに所望のオーデイオデータを記録し、必要に応じてＵＴＯＣエリアを更新する。
【００１７】
　さらにハイブリツドの光デイスクは、図４に示すように、インフオメーシヨンエリアがリードインエリア、プログラムエリア、レコーダブルエリア及びリードアウトエリアに分割され、記録再生可能な光デイスクと同様に、プリフオーマツトによつてピツトが形成されることによりリードインエリア、プログラムエリア及びリードアウトエリアが形成され、さらに熱磁気記録の領域が形成されてレコーダブルエリアに割り当てられている。
【００１８】
　またこの光デイスクは、記録再生可能な光デイスクと同様にレコーダブルエリアがＵＴＯＣエリア及びプログラムエリアに分割されている。これによりこの光デイスクは、プリフオーマツトで形成されたプログラムエリアに再生専用のオーデイオデータ等が割り当てられて記録され、さらにレコーダブルエリアのプログラムエリアにユーザの所望するオーデイオデータ等を記録し再生し得るようになされている。
【００１９】
　ここでこの実施例の光デイスク装置１（図１）においては、このハイブリツドの光デイスク２が装填されてユーザが所定の操作子を操作すると、この再生専用のプログラムエリアからオーデイオデータを再生する再生動作と、レコーダブルエリアのプログラムエリアにオーデイオデータを記録する記録動作とを所定周期で交互に切り換え、これにより光デイスク２を再生しながら、同時に順次入力されるオーデイオ信号を記録し得るようになされている。
【００２０】
　実際上光デイスク装置１は、スピンドルモータ３に光デイスク２が装着されると、スピンドルモータ３を駆動して光デイスク２を線速度一定の条件で回転駆動する。この状態で光デイスク装置１は、光学ピツクアツプ４から間欠的に光ビームを照射すると共に、磁気ヘツド５を駆動して光ビームの照射位置に所定の変調磁界を印加し、これにより熱磁気記録の方法によつて所望のデータを光デイスク２に記録し得るようになされている。
【００２１】
　このとき光デイスク装置１は、光学ピツクアツプ４で光ビームの反射光を受光し、ＲＦアンプ６を介してその受光結果をサーボ回路７に出力する。サーボ回路７は、この受光結果に基づいてスレツドモータ（スレツド）８を駆動して光学ピツクアツプ４を駆動して、光学ピツクアツプ４をトラツキング制御及びフオーカス制御し、さらに光学ピツクアツプ４を所定の記録トラツクに移動させ、所望の領域についてオーデイオデータを記録し得るようになされている。
【００２２】
　また再生時光デイスク装置１は、光学ピツクアツプ４から射出される光ビームの光量を低減し、カー効果を利用して光ビームの反射光を光学ピツクアツプ４で検出する。この結果光デイスク装置１は、光学ピツクアツプ４の出力信号に基づいて熱磁気記録したオーデイオデータを再生し得るようになされている。これに加えてこの光デイスク装置１では、再生専用の領域を再生する場合、光学ピツクアツプ４で反射光の光量変化を検出し、ピツトで記録されたオーデイオデータを再生し得るようになされている。
【００２３】
　ここで光デイスク装置１は、システムコントローラ１０の制御によつて、上述の記録再生処理を実行する。すなわちシステムコントローラ１０は、キー１１の操作に応動して制御コードを出力することにより、全体の動作を切り換えると共に、必要に応じて表示装置１２に動作モード等を表示する。さらにシステムコントローラ１０は、記録再生時、光学ピツクアツプ４の出力信号に基づいて、プリグルーブの形式で記録された位置情報をアドレスデコーダ１３で検出することにより記録再生位置を確認する。
【００２４】
　そしてシステムコントローラ１０は、例えばトラツクジヤンプ等のエラーが発生すると、このエラーによつて損なわれた記録再生データを補うように全体の動作を制御する。なお再生専用の領域を再生する場合、光デイスク装置１はプリグルーブに代えてコンパクトデイスクプレーヤと同様の手法を適用して、アドレスデコーダ１３で再生位置情報を検出する。
【００２５】
　ここでシステムコントローラ１０で制御される光デイスク装置１の記録系においては、入力端子１４を介してオーデイオ信号Ｓ１がアナログデイジタル変換回路（Ａ／Ｄ）１５に入力され、ここで連続する16ビツトのデイジタルオーデイオ信号に変換されてエンコーダ１６に入力される。エンコーダ１６は、このデイジタルオーデイオ信号を所定のフオーマツトに従つて音声圧縮処理し、この結果得られるオーデイオデータをメモリコントローラ１７を介してメモリ１８に入力する。メモリ１８は、ランダムアクセスメモリで形成された大容量のメモリで形成され、オーデイオ信号Ｓ１に換算して所定期間のオーデイオデータを蓄積し得るようになされ、光デイスク装置１はこのメモリ１８に格納されたオーデイオデータを光デイスク２に記録する。
【００２６】
　この光デイスク装置１の場合、エンコーダ１６では0.3 〔Ｍbit/s 〕のデータ転送速度でメモリ１８にオーデイオデータを出力し、メモリ１８では1.4 〔Ｍbit/s 〕のデータ転送速度でオーデイオデータを出力する。これにより光デイスク装置１では、メモリ１８に格納するオーデイオデータの転送速度に比して、メモリ１８から出力するオーデイオデータの転送速度が速くなるように全体の動作を制御し、さらにメモリ１８に蓄積されたオーデイオデータが所定値以下になると、記録動作を一時中断する。このようにして光デイスク装置１は、大容量のメモリ１８をバツフアメモリとして使用し、連続して入力されるオーデイオデータを間欠的に光デイスク２に記録する。
【００２７】
　さらに光デイスク装置１は、トラツクジヤンプ等のエラーが発生すると、即座に記録動作を中断した後、元の記録トラツクに復帰してオーデイオデータを再記録し、メモリ１８の容量の許す範囲でライトリトライする。従つて光デイスク装置１は、トラツクジヤンプ等のエラーが発生した場合でも、オーデイオ信号Ｓ１の入力を中断することなく記録動作を再開することにより、音飛びを有効に回避して連続するオーデイオ信号を記録できる。
【００２８】
　エンコーダデコーダ１９は、メモリ１８から出力されるオーデイオデータをメモリコントローラ１７を介して入力し、このオーデイオデータについてエラー訂正のための符号化処理、ＥＦＭ（Eight Fourteen Modulation）符号化処理等を実行して所定の記録信号に変換し、この記録信号を磁気ヘツド駆動回路２０に出力する。磁気ヘツド駆動回路２０は、記録信号に基づいて磁気ヘツド５を駆動し、これにより記録データに応じて光ビームの照射位置に変調磁界を形成する。これにより光デイスク装置１は、所望のオーデイオデータを熱磁気記録し得るようになされている。
【００２９】
　一方システムコントローラ１０で制御される光デイスク装置１の再生系においては、ＲＦアンプ６で光学ピツクアツプ４の再生信号を増幅して出力し、エンコーダデコーダ１９で再生信号を２値化した後、誤り訂正処理してオーデイオデータを復調する。メモリ２２は、メモリ１８と同一構成の大容量のメモリで形成され、再生時エンコーダデコーダ１９の出力データについて、メモリコントローラ２３を介して正しく再生できたオーデイオデータを選択的に蓄積して出力する。
【００３０】
　このとき光デイスク装置１は、光学ピツクアツプ４、エンコーダデコーダ１９を駆動して1.4 〔Ｍbit/s 〕のデータ転送速度で、メモリ２２にオーデイオデータが間欠的に格納されるのに対し、メモリ２２からは0.3 〔Ｍbit/s 〕のデータ転送速度でオーデイオデータが出力される。そして光デイスク装置１は記録系と同様に、メモリ２２の出力データに比して、メモリ２２に入力される再生データの転送速度が速くなるように全体の動作を制御し、さらにメモリ２２に蓄積されたデータ量が所定値以上になると、再生動作を一時中止する。
【００３１】
　さらに光デイスク装置１は、記録時と同様にトラツクジヤンプ等のエラーが発生すると、直ちに再生動作を中断した後、元の再生位置に復帰して再生動作を再開する。これによりメモリ２２の容量が許す範囲でリードリトライする。従つて光デイスク装置１では、記録時と同様にトラツクジヤンプ等のエラーが発生した場合でも、オーデイオ信号Ｓ２の出力を中断することなく再生動作を再開することができ、これにより音切れを有効に回避して連続するオーデイオ信号を再生し得る。
【００３２】
　デコーダ２４は、再生時メモリ２２から出力されるオーデイオデータを音声伸長処理し、記録時に音声圧縮処理したデイジタルオーデイオ信号を再現する。デイジタルアナログ変換回路（Ｄ／Ａ）２５は、デコーダ２４から出力されるデイジタルオーデイオ信号をアナログ信号に変換してオーデイオ信号Ｓ２を生成し、このオーデイオ信号Ｓ２を出力端子２６から出力する。かくして光デイスク装置１は、記録モードにおいて順次入力されるオーデイオ信号Ｓ１を光デイスク２に熱磁気記録し、再生モードにおいて光デイスク２に記録したオーデイオデータを再生して出力し得るようになされている。
【００３３】
　ここでシステムコントローラ１０は、ユーザがキー１１を選択操作すると、図５及び図６に示す処理手順を実行して光デイスク２を再生する。なおこのときの全体の動作とメモリ１８、２２の蓄積量の関係を図７に示す。ここでユーザがハイブリツドの光デイスク２を装填した状態で再生モードと記録モードの双方を選択した場合、所定周期で全体の動作を切り換え、これにより光デイスク２に記録したオーデイオ信号を再生して出力し、同時に順次入力されるオーデイオ信号を光デイスク２に記録する。
【００３４】
　システムコントローラ１０は、再生開始のキー１１が操作されると、ステツプＳＰ１からステツプＳＰ２に移り、サーボ回路７に制御コードを発行し、スレツドモータ８を駆動して光学ピツクアツプ４を所望の記録トラツクに移動する。続いてシステムコントローラ１０はステツプＳＰ３に移り、ここでサーボ回路７等に制御コードを出力し、ユーザの選択した演奏について光学ピツクアツプ４を駆動してオーデイオデータの再生を開始した後、続くステツプＳＰ４でメモリ２２にオーデイオデータの格納を開始する。
【００３５】
　続いてシステムコントローラ１０はステツプＳＰ５に移つて、メモリコントローラ２３に制御コードを出力し、メモリ２２からオーデイオデータの出力を開始し、光デイスク２の再生信号を出力端子２６から出力する。このようにしてオーデイオデータの再生を開始すると、システムコントローラ１０は続いてステツプＳＰ６に移り、ここでユーザが記録モードを併せて選択したか否か判断する。
【００３６】
　ここでユーザが再生モードだけを選択した場合、否定結果が得られることによりシステムコントローラ１０はステツプＳＰ７に移り、メモリ２２のデータ量を検出して、メモリ２２に所定値ａ２以上のオーデイオデータが蓄積されたか否か判断する。ここでメモリ２２では、それぞれ1.4 〔Ｍbit/s 〕及び0.3 〔Ｍbit/s 〕のデータ転送速度でオーデイオデータが入出力されることにより、再生開始直後はステツプＳＰ７で否定結果が得られ、システムコントローラ１０はステツプＳＰ３に戻る。
【００３７】
　従つてシステムコントローラ１０は、続くセクタのオーデイオデータについて、ステツプＳＰ３の処理を実行する。そしてシステムコントローラ１０は、ステツプＳＰ３→ＳＰ４→ＳＰ５→ＳＰ６→ＳＰ７→ＳＰ３の処理手順を、セクタ単位で繰り返して光デイスク２を再生し、この結果得られるオーデイオデータを順次メモリ２２を介して出力する。この処理を繰り返す際、システムコントローラ１０は、トラツクジヤンプ等の異常を検出すると、光学ピツクアツプ４等に制御コードを発行して再生動作を中止した後、スレツドモータ８を駆動して元の再生位置に光学ピツクアツプ４を復帰させてリードリトライを繰り返し、これにより音切れを有効に回避し得るようになされている。
【００３８】
　やがて上述のステツプＳＰ７で肯定結果を得ると、システムコントローラ１０はステツプＳＰ８に移り、ここで光学ピツクアツプ４の駆動を中止して光デイスク２の再生を中止する。続いてシステムコントローラ１０は、ステツプＳＰ９に移り、続くセクタのオーデイオデータをメモリ２２からリードしてデコーダ２４に出力し、続くステツプＳＰ１０でメモリ２２のデータ量が所定値ａ１以下に低下したか否か判断する。この場合システムコントローラ１０は、否定結果が得られることにより、ステツプＳＰ８に戻り、続くセクタのオーデイオデータをデコーダ２４に出力する。
【００３９】
　これによりシステムコントローラ１０は、ステツプＳＰ９→ＳＰ１０→ＳＰ９の処理手順を繰り返し、光デイスク２の再生動作を中止してメモリ２２からオーデイオデータを継続して出力し、メモリ２２では蓄積したオーデイオデータのデータ量が除々に減少する。従つてこのステツプＳＰ９→ＳＰ１０→ＳＰ９の処理手順を繰り返すと、やがてステツプＳＰ１０において肯定結果が得られ、システムコントローラ１０はステツプＳＰ１１に移る。ここでシステムコントローラ１０は、サーボ回路７に制御コードを発行して光学ピツクアツプ４を再起動した後、ステツプＳＰ１２に移つて続く再生エリアに光学ピツクアツプ４を移動してステツプＳＰ３に戻る。
【００４０】
　これにより光デイスク装置１は、間欠的に光学ピツクアツプ４を駆動して連続するオーデイオデータを再生し得るようになされている。かくして再生動作の切り換えに追従して再生データ用のメモリ２２は、図７（Ａ）に示すようにオーデイオデータのデータ量が変化する。従つて光デイスク装置１は、このデータ量の変化に対応して、図７（Ｂ）に示すように間欠的に光学ピツクアツプ４を駆動して再生動作を実行する。
【００４１】
　ここでユーザが記録モードのキー１１を併せて操作した場合、ステツプＳＰ６で肯定結果が得られることにより、システムコントローラ１０はステツプＳＰ１４に移る。システムコントローラ１０は、メモリコントローラ１７等の記録系に制御コードを発行し、入力端子１４を介して順次入力されるオーデイオ信号をエンコーダ１６でオーデイオデータに変換し、メモリ１８への格納を開始する。続いてシステムコントローラ１０は、ステツプＳＰ１５に移り、光デイスク２からのオーデイオデータの再生動作が一時中止されているか否か判断し、ここで否定結果が得られると、ステツプＳＰ１６に移る。
【００４２】
　ステツプＳＰ１６でシステムコントローラ１０は、メモリ２２のデータ量が所定値ｂ２以上に増大したか否か判断し、ここで否定結果が得られるとステツプＳＰ３に戻る。これによりシステムコントローラ１０は、メモリ２２にオーデイオデータが所定値ｂ２以上蓄積されない範囲で、ステツプＳＰ３→ＳＰ４→ＳＰ５→ＳＰ６→ＳＰ１４→ＳＰ１５→ＳＰ１６→ＳＰ３のループを繰り返し、時点ｔ０〜ｔ１の期間の間、再生したオーデイオデータを出力端子２６から出力し、同時に入力端子１４を介して入力されるオーデイオデータをメモリ１８に格納する。
【００４３】
　これに対してメモリ２２にオーデイオデータが所定値ｂ２以上蓄積されると、ステツプＳＰ１６で肯定結果が得られ、システムコントローラ１０はステツプＳＰ１７に移る。このステツプＳＰ１７でシステムコントローラ１０は上述のステツプＳＰ８の場合と同様の処理を実行して再生動作を中止した後、ステツプＳＰ１８に移る。このステツプＳＰ１８でシステムコントローラ１０は、メモリ１８にオーデイオデータが所定値ｂ２以上蓄積されたか否か判断し、ここで否定結果が得られるとステツプＳＰ１９に移る。
【００４４】
　このステツプＳＰ１９でシステムコントローラ１０は、スレツドモータ８を駆動してレコーダブルエリアの未記録領域に光学ピツクアツプ４を移動させた後、続くステツプＳＰ２０で記録系を録音待機の状態に切り換えた後、ステツプＳＰ５に戻る。これによりシステムコントローラ１０は、続いてステツプＳＰ５→ＳＰ６→ＳＰ１４→ＳＰ１５の処理手順を実行し、このステツプＳＰ１５で肯定結果が得られることにより、ステツプＳＰ１８に移る。
【００４５】
　これによりシステムコントローラ１０は、続いてステツプＳＰ１９→ＳＰ２０の処理手順を実行してステツプＳＰ５に戻り、メモリ１８にオーデイオデータが所定値ｂ２以上蓄積されるまで、ステツプＳＰ５→ＳＰ６→ＳＰ１４→ＳＰ１５→ＳＰ１８→ＳＰ１９→ＳＰ２０→ＳＰ５の処理手順を繰り返す。従つて光デイスク装置１は、時点ｔ１からメモリ１８にオーデイオデータが所定値ｂ２以上蓄積される時点ｔ２までの期間の間、光デイスク２に対する記録再生動作を中止する。この時点ｔ１から時点ｔ２の期間の間、光学ピツクアツプ４は記録可能領域内で待機状態に制御される。そしてメモリ２２に格納したオーデイオデータを出力すると共に、順次入力されるオーデイオデータをメモリ１８に格納する。
【００４６】
　この処理手順を繰り返すとメモリ１８のデータ量が所定値ｂ２以上に増大することにより、システムコントローラ１０はステツプＳＰ１８において肯定結果が得られ、ステツプＳＰ２１に移る。このステツプＳＰ２１でシステムコントローラ１０は、サーボ回路７に制御コードを発行して光学ピツクアツプ４を記録モードに立ち上げることにより、レーザパワーを記録時のパワーに切り換えた後、続くステツプＳＰ２２でメモリ１８に格納したオーデイオデータをエンコーダデコーダ１９に出力する。
【００４７】
　続いてシステムコントローラ１０はステツプＳＰ２３に移り、記録系に制御コードを発行して、オーデイオデータの記録を開始した後ステツプＳＰ２４に移る。このステツプＳＰ２４でシステムコントローラ１０は、メモリ１８のデータ量が所定値ｂ１以下に減少したか否か判断し、この場合否定結果が得られることにより、ステツプＳＰ２２に戻る。これによりシステムコントローラ１０は、光デイスク２に対する記録再生動作を中止した状態で時点ｔ２においてメモリ１８のデータ量が所定値ｂ２以上になると、ステツプＳＰ２２→ＳＰ２３→ＳＰ２４→ＳＰ２２の処理手順を繰り返し、これによりメモリ１８のオーデイオデータを光デイスク２に記録する。
【００４８】
　さらにシステムコントローラ１０は、この処理手順を繰り返してメモリ１８のデータ量が所定値ｂ１以下になると、ステツプＳＰ２４において肯定結果が得られ、ステツプＳＰ２５に移つてレーザパワーを再生時のパワーに切り換えた後、ステツプＳＰ１１に戻る。従つてシステムコントローラ１０は、図７（Ｃ）に示すように、時点ｔ２からメモリ１８のデータ量が所定値ｂ１以下に立ち下がる時点ｔ３までの期間の間、図７（Ｄ）に示すように、メモリ１８のオーデイオデータを光デイスク２に記録し、メモリ１８のデータ量が所定値ｂ１以下になると、再びステツプＳＰ３→ＳＰ４→ＳＰ５→ＳＰ６→ＳＰ７→ＳＰ３の処理手順を繰り返す。
【００４９】
　このように光デイスク装置１は、メモリ１８及び２２をバツフアメモリとして使用して光デイスク２に対して記録及び再生動作を交互に繰り返し、これにより音切れを有効に回避して連続するオーデイオ信号を記録し再生する。この記録再生動作を交互に繰り返す際、光デイスク装置１はメモリ１８及び２２の容量を充分大きな容量に選定すると共に、最初に記録動作に切り換わるメモリ１８のデータ量ｂ２を所定の値に選定し、音切れを有効に回避すると共に所定の待ち時間を間に挟んで記録再生動作を繰り返す。
【００５０】
　光デイスク装置１は、光デイスク２に対して同時に記録再生動作しないように記録及び再生動作のタイミングを設定し、さらにこの所定の待ち時間を使用して再生位置及び記録位置間で光学ピツクアツプ４をシークし得る。またこのとき光デイスク装置１は、トラツクジヤンプ等による音飛びを有効に回避するために配置したメモリ１８及び２２を利用して、この記録再生動作を実行し得ることにより、その分全体として構成を簡略化することができる。さらに交互に記録再生処理を繰り返すことにより、光学ピツクアツプ４からエンコーダデコーダ１９までの構成を１系統で形成し得、その分全体構成を簡略化することができる。
【００５１】
　かくして図８に示すように、この実施例の光デイスク装置１では、伴奏を聴取しながらユーザが発声した音声信号を、この伴奏と共に伴奏を記録した光デイスク２に記録できる、いわゆる自己録再の機能を実現し得る。すなわちこの場合、光デイスク２の再生専用領域に記録した伴奏を光デイスク装置１で再生し、その再生出力をアンプ２７で増幅してスピーカＳＰから出力する。さらにマイクＭＩＣから入力される音声信号をアンプ２８で増幅した後、再生出力と合成して光デイスク２に記録し、これにより光デイスク２に記録したオーデイオ信号を音声信号と共に記録できる。
【００５２】
　またラジオ放送等の記録を開始した後、例えば30分程度経過して未だ記録中の状態で再生動作を開始することにより、録音番組が完了しなくても録音した内容を初めから聴取することができ、いわゆるタイムシフトマシンとして使用することもできる。なおこの実施例の場合、入力端子１４に外部からラジオ等の外部機器のラインアウト端子を通じて接続してオーデイオデータを入力する。
【００５３】
　以上の構成によれば、大容量のメモリ１８、２２を介して転送速度を切り換えてオーデイオデータを記録すると共に再生し、この記録再生動作を交互に繰り返すことにより、１枚の光デイスク２の再生結果を継続して出力しながら、連続して入力されるオーデイオ信号を継続してこの光デイスク２に記録し得る光デイスク装置１を実現できる。
【００５４】
（２）記録再生装置の他の例
　図１との対応部分に同一符号を付した図９において、４０は全体として第２の実施例の光デイスク装置を示し、レシーバ４２で検出した位置情報を所定の光デイスクに記録する。すなわち光デイスク装置４０は、車載用のオーデイオ機器を形成し、レシーバ４２は複数の人工衛星が送出する所定の基準信号をアンテナ４３を介して受信し、その受信結果に基づいて現在位置を検出する。さらにレシーバ４２は、現在位置検出結果でなる位置情報を位置検出時間を表す時間情報と共に所定周期で出力する。そしてこの実施例の光デイスク装置４０は、この情報をデータ圧縮してメモリ１８に蓄積する。
【００５５】
　光デイスク装置４０は、図１０に示すように、２つの光デイスク２Ａ及び２Ｂを所定のカートリツジに収納して保持し、ユーザの選択した光デイスク２Ａをスピンドルモータ３に装着して、記録及び又は再生し得るようになされている。ここで例えば一方の光デイスク２Ａは、オーデイオ信号を記録した再生専用の光デイスクで形成され、他方の光デイスク２Ｂは位置情報を記録し得るようになされた記録再生可能な光デイスクで形成されている。
【００５６】
　光デイスク装置４０は、システムコントローラ４１で全体の動作を制御し、オーデイオ信号を記録した再生専用の光デイスク２Ａをユーザが選択した場合、ユーザの操作に応動して光デイスク２Ａを再生し、この結果得られるオーデイオ信号を出力端子２６から出力する。これにより光デイスク装置４０は、所定のオーデイオ機器を介して、光デイスク２Ａに記録されたオーデイオ信号を聴取し得るようになされている。
【００５７】
　これに対してユーザが所定のキー１１を操作して光デイスク２Ａの再生を指定すると共に、同時に位置情報の記録を指定した場合、システムコントローラ４１は、図１１に示す処理手順を実行して、光デイスク２Ａのオーデイオ信号を継続して出力すると共に、記録再生可能な光デイスク２Ｂに位置情報を記録する。すなわちシステムコントローラ４１は、再生系の制御としてステツプＳＰ３０からステツプＳＰ３１に移り、ここで再生系に制御コードを発行して光デイスク２Ａの再生を開始し、続くステツプＳＰ３２でその結果得られるオーデイオデータをメモリ２２に格納する。
【００５８】
　同時にシステムコントローラ４１は、ステツプＳＰ３０からステツプＳＰ３３に移り、ここでレシーバ４２を制御して位置情報を検出すると、続くステツプＳＰ３４でこの位置情報をメモリ１８に記録してステツプＳＰ３５に移る。ここでシステムコントローラ４１は、メモリ２２のデータ量が所定値以下になつたか否か判断し、ここで否定結果を得るとステツプＳＰ３１及びＳＰ３３に戻る。
【００５９】
　光デイスク装置４０は、光デイスク２Ａと光デイスク２Ｂとを交換してメモリ１８に格納した位置情報を光デイスク２Ｂに記録した後、光デイスク２Ｂと光デイスク２Ａとを交換して再び光デイスク２Ａの再生を開始するまでの期間の間、出力端子２６から出力されるオーデイオ信号が音切れしない分のオーデイオデータをメモリ２２に格納するようになされ、ここでオーデイオデータが充分に蓄積されるとステツプＳＰ３５において肯定結果が得られることにより、ステツプＳＰ３６に移る。
【００６０】
　これによりシステムコントローラ４１は、このステツプＳＰ３６において再生動作を中止して光デイスク２Ａ及び２Ｂを交換した後、メモリ１８に格納した位置情報を光デイスク２Ｂに記録する。さらにこの位置情報の記録が完了すると、システムコントローラ４１は、元の光デイスク２Ａをスピンドルモータ３にチヤツキングし、これによりステツプＳＰ３１及びＳＰ３３に戻つて処理手順を繰り返す。
【００６１】
　以上の構成によれば、オーデイオ信号に代えて位置情報を記録することにより、オーデイオ信号の音切れを有効に回避して異なる光デイスクに位置情報を記録することができる。
【００６２】
　なおこの実施例では、レシーバ４２から出力される位置検出情報を、直接メモリコントローラ１７を介してメモリ１８に入力するようにしたが、これに代え、図９との対応部分に同一符号を付した図１２に示すようにシステムコントローラ４５を介して入力するようにしても良い。この場合図１３に示すように、システムコントローラ４５はステツプＳＰ４０からステツプＳＰ４１に移り、光デイスク２Ａからオーデイオデータを再生した後、続くステツプＳＰ４２でメモリ２２に格納すると共に、このメモリ２２からオーデイオデータを出力する。さらにシステムコントローラ４５は、続くステツプＳＰ４３でメモリ２２のデータ量が所定値以上か否か判断し、ここで否定結果を得るとステツプＳＰ４１に戻る。
【００６３】
　これに対してステツプＳＰ４３で肯定結果を得ると、システムコントローラ４５はステツプＳＰ４４に移り、レシーバ４２から取り込んだ位置情報をメモリ１８に格納する。さらにシステムコントローラ４５は、続くステツプＳＰ４５で、光デイスク２Ａに代えて光デイスク２Ｂをスピンドルモータ３にチヤツキングして、メモリ１８の位置情報を光デイスク２Ｂに記録した後、再び光デイスク２Ａをスピンドルモータ３にチヤツキングしてステツプＳＰ４１に戻る。このようにシステムコントローラ４５を介して位置情報を入力するようにしても、上述の実施例と同様の効果を得ることができる。
【００６４】
　またこの実施例では、光デイスク２Ａに記録されたオーデイオ信号を連続的に再生して出力しながら、レシーバ４２で取り込んだ位置情報を光デイスク２Ｂに記録する場合について述べたが、これに代え、例えば光デイスクに記録された地図情報を映像信号の形式で連続的に再生して出力しながら、別の光デイスクに地図情報に対応するように位置情報を記録してもよい。
【００６５】
　さらにこの実施例では、光デイスク２Ａとしてオーデイオ信号が記録された再生専用の光デイスクを用い、光デイスク２Ｂとして位置情報を記録し得るようになされた記録再生可能な光デイスクを用いる組み合わせで説明したが、例えば光デイスク２Ａとしてオーデイオ信号が記録された再生専用の光デイスクを用い、光デイスク２Ｂとしてナビゲーシヨン用の位置情報が記録された記録再生可能な光デイスクを用いるような組み合わせでも良い。
【００６６】
（３）本発明による再生装置の実施例
　図１及び図９との対応部分に同一符号を付した図１４において、５０は全体として本発明による光デイスク装置を示し、ナビゲーシヨン用の画像データが記録された光デイスクと、オーデイオデータが記録された光デイスクを交互に再生し得るようになされている。この光デイスク装置５０では、システムコントローラ３０の制御として、図１５の処理手順を実行する。すなわちシステムコントローラ３０はステツプＳＰ５０から入つてステツプＳＰ５１で、まず再生専用のオーデイオ情報が記録されている光デイスク２Ａから再生信号を光学ピツクアツプ４を用いて再生し、次のステツプＳＰ５２で再生信号を音声用メモリ３９に蓄積する。
【００６７】
　続いてシステムコントローラ３０はステツプＳＰ５３において、音声用メモリ３９の蓄積量を監視しながら、ステツプＳＰ５１→ＳＰ５２の処理を繰り返し、蓄積量が所定値以上になつたら、次のステツプＳＰ５４に移つて光学ピツクアツプ４を再生停止に制御し、ステツプＳＰ５５で光デイスク２Ａからナビゲーシヨン用の光デイスク２Ｂに交換する。続いてシステムコントローラ３０はステツプＳＰ５６で、光デイスク２Ｂが再生部に装着されたらレシーバ４２から取り込んだ位置情報に対応する地図情報を読み出し、画像デコーダ３３にて画像処理した後メモリコントローラ３７を介して画像メモリ３６に取り込む。
【００６８】
　また同時にシステムコントローラ３０はステツプＳＰ５７において、デイスプレイ５２に画像処理した地図画面を表示する。画像情報を表示したら次にシステムコントローラ３０はステツプＳＰ５８に移つて、光デイスク２Ｂの再生を中止して光デイスク２Ｂを光デイスク２Ａに交換し、ステツプＳＰ５１に戻つて音声用メモリ３９に書き込まれた最後のデータに連続する箇所から光デイスク２Ａからの再生を開始する。
【００６９】
　ここで音声用メモリ３９の蓄積量を監視する上記所定値は、光デイスクを交換する時間（光デイスク２Ａから光デイスク２Ｂに交換する時間と、光デイスク２Ｂから光デイスク２Ａに交換する時間を足した時間）と、所定の再生位置までアクセスする時間（再生起動からレシーバ４２から取り込んだ位置情報に対応する再生箇所にアクセスするまでの時間と、再生起動からオーデイオ用メモリ３９に書き込まれた最後のデータに対応する再生箇所にアクセスする時間を足した時間）との合計時間に充分足りるだけの時間に相当する蓄積量以上である。
【００７０】
　この実施例に代え、図１４との対応部分に同一符号を付した図１６に示すように、光デイスクを回転させるスピンドルモータを２つ（３Ａ、３Ｂ）用意して、光学ピツクアツプ４をスレツドモータ８により光デイスク２Ａ、２Ｂの両方を再生できるようにして、光デイスク２Ａ、２Ｂの交換に要する時間を短縮する光デイスク装置６０がある。この場合システムコントローラ３０の処理として、図１７に示すように、まずステツプＳＰ６０から入つてステツプＳＰ６１において、再生専用のオーデイオ情報が記録されている光デイスク２Ａから再生信号を光学ピツクアツプ４を用いて再生し、続くステツプＳＰ６２で再生信号を音声用メモリ３９に蓄積する。
【００７１】
　続いてシステムコントローラ３０は、次のステツプＳＰ６３で音声用メモリ３９の蓄積量を監視しながらステツプＳＰ６１→ＳＰ６２の処理を繰り返し、蓄積量が所定値以上になつたらステツプＳＰ６４に移る。このステツプＳＰ６４でシステムコントローラ３０は、光学ピツクアツプ４をスレツドモータ８を駆動してナビゲーシヨン用の光デイスク２Ｂを再生するように移動させる。
【００７２】
　光デイスク２Ｂが再生可能な状態になると、ステツプＳＰ６５においてスイツチ３１を端子ｂから端子ａへ、スイツチ３２を端子ｃから端子ｄに切り換えるようにシステムコントローラ３０から切換え信号を転送する。その後システムコントローラ３０は、ステツプＳＰ６６においてレシーバ４２から取り込んだ位置情報に対応する地図情報を読み出し、ステツプＳＰ６７において画像デコーダ３４にて画像処理した後メモリコントローラ３７を介して画像メモリ３６に取り込み、同時にデイスプレイ５２に画像処理した地図画面を表示する。
【００７３】
　画像情報を表示したらステツプＳＰ６８において、光デイスク２Ｂの再生を中止して、光学ピツクアツプ４を光デイスク２Ａを再生するようスレツドモータ８を用いて移動制御すると共にスイツチ３１を端子ａから端子ｂへ、スイツチ３２を端子ｄから端子ｃに切り換えるようにシステムコントローラ３０から切換え信号を転送する。そして再度光デイスク２Ａを起動して音声用メモリ３９に書き込まれた後のデータに連続する箇所から光デイスク２Ａからの再生を開始する。
【００７４】
　ここで音声用メモリ３９の蓄積量を監視する上記所定値は、光学ピツクアツプ４が光デイスク２Ａと光デイスク２Ｂ間を往復移動するのに必要な時間と、再生起動に要する時間以上で済むので、図１４の場合のようにデイスクを交換する時間だけメモリに蓄える量が少なく済み、メモリの容量として大規模なものは必要なくなる分構成を簡略化できる。
【００７５】
　またこの実施例においては、第１の光デイスクとしてオーデイオ専用の光デイスクを用い、第２の光デイスクとしてナビゲーシヨン用の光デイスクを用いた場合について述べたが、本発明はこれに限らず、第１の光デイスクとしてオーデイオ専用光デイスクを用い、第２の光デイスクとして映像用の光デイスクを用いるようにしても良い。
【００７６】
（４）他の実施例
　なお上述の実施例においては、トラツクジヤンプを有効に回避するメモリを使用して、連続する再生結果を出力すると共に所定のデータを光デイスクに記録する場合について述べたが、本発明はこれに限らず、メモリを用いてトラツクジヤンプを回避する機能を省略するようにしても良い。
【００７７】
　また上述の実施例においては、記録時及び再生時１つの光学ピツクアツプを用いるようにした場合について述べたが、本発明はこれに限らず、記録用及び再生用としてそれぞれ別々の光学ピツクアツプを用い、記録用の光学ピツクアツプの対応する位置に磁気ヘツドを配置するようにしても良い。
【００７８】
　また上述の実施例においては、記録用のメモリと再生用のメモリ又は画像メモリと音声用メモリを別々に設け、それぞれ各別のメモリコントローラで制御するようにしたが、これに代え、それぞれのメモリを共通化し単一のメモリコントローラで、例えばメモリアドレス等に基づいて制御するようにしても良く、このようにすれば、その分構成を簡略化し得る。
【００７９】
　また上述の実施例においては、本発明を３種類の光デイスクを記録し再生する光デイスク装置に適用した場合について述べたが、本発明はこれに限らず、種々の光デイスクを記録し再生する光デイスク装置に広く適用することができ、さらに記録媒体としては光デイスクに限らず、磁気デイスク等のデイスク状記録媒体や磁気テープ、半導体メモリ等他の記録媒体を用いる場合にも、広く適用して好適なものである。
【図面の簡単な説明】
【００８０】
【図１】記録再生装置として光デイスク装置を示すブロツク図である。
【図２】再生専用の光デイスクの説明に供する略線図である。
【図３】記録再生可能な光デイスクの説明に供する略線図である。
【図４】ハイブリツドの光デイスクの説明に供する略線図である。
【図５】図１の光デイスク装置の記録再生動作を示すフローチヤートである。
【図６】図５と同様に記録再生動作を示すフローチヤートである。
【図７】光デイスク装置の全体の動作とメモリの蓄積量の関係を示す信号波形図である。
【図８】光デイスク装置の実際の使用形態の説明に供する略線図である。
【図９】光デイスク装置の他の例を示すブロツク図である。
【図１０】図９の光デイスク装置における光デイスクの交換を示す略線図である。
【図１１】図９の光デイスク装置の記録再生動作を示すフローチヤートである。
【図１２】光デイスク装置のさらに他の例を示すブロツク図である。
【図１３】図１２の光デイスク装置の記録再生動作を示すフローチヤートである。
【図１４】本発明による再生装置の一実施例による光デイスク装置を示すブロツク図である。
【図１５】図１４の光デイスク装置の再生動作を示すフローチヤートである。
【図１６】本発明による再生装置の他の実施例による光デイスク装置を示すブロツク図である。
【図１７】図１６の光デイスク装置の再生動作を示すフローチヤートである。
【符号の説明】
【００８１】
　１、４０、５０、６０……光デイスク装置、２、２Ａ、２Ｂ……光デイスク、３、３Ａ、３Ｂ……スピンドルモータ、４……光学ピツクアツプ、５……磁気ヘツド、６……ＲＦアンプ、７……サーボ回路、８……スレツドモータ、１０、３０、４１、４５……システムコントローラ、１１……キー、１２……表示装置、１３……アドレスデコーダ、１４……入力端子、１５……アナログデイジタル変換回路、１６……エンコーダ、１７、２３、３７、３８……メモリコントローラ、１８、２２……メモリ、１９……エンコーダデコーダ、２０……磁気ヘツド駆動回路、２４、５１……デコーダ、２５……デイジタルアナログ変換回路、２６……出力端子、２７、２８……アンプ、３１、３２……スイツチ、３３……画像デコーダ／オーデイオデコーダ、３４……画像デコーダ、３５……オーデイオデコーダ、３６……画像メモリ、３９……音声用メモリ、４２……レシーバ、４３……アンテナ、５２……デイスプレイ。
【図１】
2004134055.tif 000003
【図２】
2004134055.tif 000004
【図３】
2004134055.tif 000005
【図４】
2004134055.tif 000006
【図５】
2004134055.tif 000007
【図６】
2004134055.tif 000008
【図７】
2004134055.tif 000009
【図８】
2004134055.tif 000010
【図９】
2004134055.tif 000011
【図１０】
2004134055.tif 000012
【図１１】
2004134055.tif 000013
【図１２】
2004134055.tif 000014
【図１３】
2004134055.tif 000015
【図１４】
2004134055.tif 000016
【図１５】
2004134055.tif 000017
【図１６】
2004134055.tif 000018
【図１７】
2004134055.tif 000019